(57)【特許請求の範囲】
【請求項１】
入力されるデータに対して、旧モード対応のデータフォーマットに変換を行う旧モードデータ生成部と、
前記データに対して、新モード対応のデータフォーマットに変換を行う新モードデータ生成部と、
前記旧モードと新モードのいずれの動作モードでも動作可能なものであることを示すための新モード識別信号を生成する新モード識別信号生成部と、
前記旧モードデータ生成部、新モードデータ生成部、および新モード識別信号生成部の出力する信号のいずれを通信回線側へ送信するかの切替えを行う送信データ切替部と、
前記通信回線とのインタフェース制御を行う回線インタフェース部と、
前記通信回線側から受信したデータに対して、旧モード対応のデータフォーマットと認識して復号を行う旧モードデータ復号部と、
前記通信回線側から受信したデータに対して、新モード対応のデータフォーマットと認識して復号を行う新モードデータ復号部と、
前記通信回線側から受信したデータに対して、前記新モード識別信号かどうかの検出を行う新モード識別信号検出部と、
前記新モードデータ復号部または旧モードデータ復号部の出力する復号後のデータの一方を選択する受信データ切替部と、
前記新モード識別信号検出部からの新モード識別信号検出信号、および前記受信データ切替部で選択された復号後のデータのデータ誤り検出結果に基づくデータ誤り検出信号を判断して、前記送信データ切替部および受信データ切替部を制御するための新旧モード切替信号を生成する新旧動作モード切替制御部とを備えて構成される通信装置。
【請求項２】
データ入出力装置から入力されるデータに、そのデータの誤りを検出できるようにするためのデータ誤り検出信号を付加して、旧モードデータ生成部および新モードデータ生成部に入力する誤り検出データ付加部と、
受信データ切替部で選択された復号後のデータが誤りかどうかを検出し、その検出結果に基づいて生成したデータ誤り検出信号を、新旧動作モード切替制御部に入力するデータ誤り検出部とを設けたことを特徴とする請求項１記載の通信装置。
【請求項３】
新旧動作モード切替制御部が、新モード識別信号検出部からの新モード識別信号検出信号と、当該通信装置の外部に設置されたデータ誤り検出部より送られてくるデータ誤り検出信号とを判断して、送信データ切替部および受信データ切替部を制御する新旧モード切替信号を生成するものであることを特徴とする請求項１記載の通信装置。
【請求項４】
新旧動作モード切替制御部が、新モード識別信号検出部からの新モード識別信号検出信号と、復号後のデータが誤りかどうかの検出結果に基づいて操作される誤り検出信号入力スイッチより入力されたデータ誤り検出信号とを判断して、送信データ切替部および受信データ切替部を制御する新旧モード切替信号を生成するものであることを特徴とする請求項１記載の通信装置。
【請求項５】
新旧動作モード切替制御部によって生成された新旧モード切替信号を、旧モードデータ生成部、新モードデータ生成部、旧モードデータ復号部、および新モードデータ復号部に入力することを特徴とする請求項１から請求項４のうちのいずれか１項記載の通信装置。
【発明の詳細な説明】
【０００１】
【発明の属する技術分野】
この発明は、通信回線を経由して相手通信装置とデータ通信を行う際に、新モードおよび旧モードのいずれの動作モードでも動作可能な通信装置に関するものである。
【０００２】
【従来の技術】
図１１は従来の新旧いずれのモードでも動作可能な通信装置の構成を示すブロック図である。図において、１ｄはその通信装置であり、２ａはデータ入出力装置、３は通信回線である。また、通信装置１ｄ内において、１１ｄは送信データを生成する送信データ生成部、１２ｄは受信データの復号を行う受信データ復号部、１３ｃは新旧動作モード切替制御部であり、１４は回線インタフェース部である。
【０００３】
上記送信データ生成部１１ｄ内において、１１１は誤り検出データ付加部、１１２は旧モードデータ生成部、１１３は新モードデータ生成部、１１５は送信データ切替部であり、１１６は新モード切替信号生成部である。受信データ復号部１２ｄ内において、１２１はデータ誤り検出部であり、１２２は旧モードデータ復号部、１２３は新モードデータ復号部、１２５は受信データ切替部、１２６は新モード切替信号検出部である。
【０００４】
また、図１０は旧モードのみで動作可能な通信装置の構成を示すブロック図である。図において、１ｂは通信装置であり、２ａはデータ入出力装置、３は通信回線である。通信装置１ｂ内において、１１ｂは送信データ生成部、１２ｂは受信データ復号部であり、１４は回線インタフェース部である。上記送信データ生成部１１ｂ内において、１１１は誤り検出データ付加部、１１２は旧モードデータ生成部であり、受信データ復号部１２ｂ内において、１２１はデータ誤り検出部、１２２は旧モードデータ復号部である。
【０００５】
次に動作について説明する。
この場合、上記図１１に示した新旧いずれのモードでも動作可能な通信装置１ｄ、および図１０に示した旧モードのみで動作可能な通信装置１ｂを通信回線３で接続してネットワークを構成し、旧モードのみで動作可能な通信装置１ｂ間では旧モードで、旧モードのみで動作可能な通信装置１ｂと新旧いずれのモードでも動作可能な通信装置１ｄとの間では旧モードで、新旧いずれのモードでも動作可能な通信装置１ｄ間では新モードまたは旧モードで、それぞれ通信を行い、新旧の動作モードは通信装置間の通信によって決定されるものとする。
【０００６】
まず、上記図１１に示した新旧いずれのモードでも動作可能な通信装置１ｄの動作について説明する。
データ入出力装置２ａより出力されたデータは誤り検出データ付加部１１１に送られてデータ誤り検出信号が付加される。ついで、このデータ誤り検出信号が付加されたデータは、旧モードデータ生成部１１２および新モードデータ生成部１１３に入力されてそれぞれのデータフォーマットに変換処理された後、送信データ切替部１１５に送られる。送信データ切替部１１５は新旧動作モード切替制御部１３ｃからの指示にしたがって送信するデータフォーマットの選択を行い、選択した送信データを回線インタフェース部１４より通信回線３を通じて相手通信装置へ伝送する。
【０００７】
また、新モード切替信号を送信する場合には、新旧動作モード切替制御部１３ｃからの指示により、送信データ切替部１１５にて新モード切替信号生成部１１６からの新モード切替信号が選択され、それが回線インタフェース部１４より通信回線３へ出力される。
【０００８】
相手通信装置から伝送されたデータは、通信回線３より回線インタフェース部１４に入力され、旧モードデータ復号部１２２、新モードデータ復号部１２３、および新モード切替信号検出部１２６に送られる。旧モードデータ復号部１２２ではそれを旧モードデータのフォーマットにしたがって、新モードデータ復号部１２３ではそれを新モードデータのフォーマットにしたがって、それぞれ変換処理を行った後、受信データ切替部１２５に入力する。また、新モード切替信号検出部１２６では新モード切替信号の検出結果を新旧動作モード切替制御部１３ｃへ送信する。
【０００９】
旧モードデータ復号部１２２および新モードデータ復号部１２３から出力されたデータは受信データ切替部１２５で、新旧動作モード切替制御部１３ｃからの指示にしたがって選択され、データ誤り検出部１２１へ出力される。データ誤り検出部１２１ではデータ中の誤りの有無を判定して、その判定結果をデータ誤り検出信号として新旧動作モード切替制御部１３ｃへ出力する。
【００１０】
次に、上記新旧動作モード切替制御部１３ｃの動作について説明する。
ここで、図１２は図１１に示した従来の通信装置１ｄにおける新モード動作確定までのシーケンスを示す説明図である。図１１に示した新旧いずれのモードでも動作可能な通信装置１ｄは、接続開始時に新モード切替信号を通信回線３に送信する。この新モード切替信号を受信した相手通信装置も新旧いずれのモードでも動作可能なものであれば、図１２に示すように、新モード切替信号を応答として返送し、新モードのデータによるデータ通信を開始する。
【００１１】
また、図１３は従来の通信装置１ｄにおける旧モード動作確定までのシーケンスを示す説明図である。相手通信装置が旧モードでのみ動作可能なものである場合には、新モード切替信号を応答として返送することができないため、図１３に示すように無応答となる。新旧いずれのモードでも動作可能な通信装置１ｄの新モード切替信号検出部１２６にてこの応答なしが検出されると、旧モードのデータによるデータ通信が開始される。
【００１２】
このように、この新旧動作モード切替制御部１３ｃは、通話開始の状態、新モード切替信号検出部１２６からの新モード切替信号検出信号の検出、およびデータ誤り検出部１２１からのデータ誤り検出信号に応じて、新モード切替信号の送信処理、および新モードまたは旧モードの切替制御を行う。
【００１３】
次に、図１０に示した、旧モードでのみ動作可能な通信装置１ｂの動作について説明する。
データ入出力装置２ａから入力されたデータは、誤り検出データ付加部１１１によってデータ誤り検出信号が付加される。このデータ誤り検出信号が付加されたデータは旧モードデータ生成部１１２に入力され、旧モードのデータフォーマットに変換処理された後、回線インタフェース部１４を介して通信回線３より相手通信装置へ伝送される。また、相手通信装置から送られてきたデータは、通信回線３を通して回線インタフェース部１４に入力され、旧モードデータ復号部１２２に送られる。旧モードデータ復号部１２２ではそれを旧モードデータのフォーマットにしたがって変換処理してデータ誤り検出部１２１に送る。データ誤り検出部１２１では、この旧モードデータ復号部１２２から出力されたデータ中の誤りの有無を判定し、受信データをデータ入出力装置２ａに出力する。
【００１４】
次に、通信回線３上の伝送誤りなどによって、新モード切替信号や新モードによるデータが、相手側の通信装置に正常に伝送されなかった場合について説明する。
ここで、図１４は、新旧いずれのモードでも動作可能な通信装置から新モード切替信号が送信されたにもかかわらず、相手通信装置へその新モード切替信号が伝わらなかった場合の動作シーケンスを示す説明図である。この場合、相手通信装置では新モード切替信号が受信できないため、当該新モード切替信号に対する応答をしないまま、旧モードにて動作モードを確立し、データ通信を開始してしまう。また、図１５は、新旧いずれのモードでも動作可能な通信装置から新モードでデータを送信し、新モードでデータが受信されれば新モードによるデータ通信を継続し、旧モードでデータが受信されれば旧モードでデータ通信を確立するシーケンスを示す説明図である。図示のように、相手通信装置からの新モードによるデータが通信回線３の伝送誤りによって正常に受信できなかった場合、動作モードを旧モードに切替えてしまい、動作モードが旧モードに確立されてデータ通信が開始される。
【００１５】
なお、このような従来の通信装置に関連の記載がある文献としては、例えば、特開平４−３０７８３７号公報、特開平４−１２０９３１号公報、特開平４−２８０５４１号公報などがある。
【００１６】
【発明が解決しようとする課題】
従来の通信装置は以上のように構成されているので、通信開始時に新モード切替信号を送信し、その応答の有無で新旧モードを判断する際に、新モード切替信号が通信回線３上の伝送誤りなどによって正常に相手通信装置へ伝送されなかった場合には、両方の通信装置が新旧いずれのモードでも動作可能であるにもかかわらず、旧モードでの動作となってしまうという課題があった。
【００１７】
この発明は上記のような課題を解消するためになされたもので、速やかに動作モードの決定を行うとともに、新旧いずれのモードでも動作可能な通信装置間では、動作モードを旧モードに確定することなく、新モードに収束することのできる通信装置を得ることを目的とする。
【００１８】
【課題を解決するための手段】
この発明に係る通信装置は、当該通信装置が新旧いずれのモードでも動作可能なものであることを示す新モード識別信号を生成する新モード識別信号生成部と、通信回線側から受信したデータが新モード識別信号かどうかを検出する新モード識別信号検出部を設けて、新旧いずれのモードでも動作可能な通信装置の送信データが、送信開始時もしくは動作モードの相違認識時において新モードおよび旧モードのいずれの動作モードで動作していても、その新モード認識信号を送信するようにしたものである。
【００１９】
この発明に係る通信装置は、データ入出力装置から入力されるデータにデータ誤り検出信号を付加する誤り検出データ付加部と、復号後のデータが誤りかどうかを検出して、データ誤り検出信号を新旧動作モード切替制御部に入力するデータ誤り検出部とを当該通信装置の内部に設けたものである。
【００２０】
この発明に係る通信装置は、データ誤り検出信号を生成するデータ誤り検出部を当該通信装置外部に設置し、新旧動作モード切替制御部より、このデータ誤り信号と当該通信装置内の新モード識別信号検出部からの新モード識別信号検出信号とに基づく新旧モード切替信号を生成するようにしたものである。
【００２１】
この発明に係る通信装置は、新旧動作モード切替制御部が、復号後のデータが誤りかどうかの検出結果に基づいて操作される誤り検出信号入力スイッチより入力されたデータ誤り検出信号と、新モード識別信号検出部からの新モード識別信号検出信号とを判断することによって、新旧モード切替信号を生成するようにしたものである。
【００２２】
この発明に係る通信装置は、旧モードデータ生成部、新モードデータ生成部、旧モードデータ復号部、および新モードデータ復号部に、新旧動作モード切替制御部の生成する新旧モード切替信号を入力するようにしたものである。
【００２３】
【発明の実施の形態】
以下、この発明の実施の一形態を説明する。
実施の形態１．
図１はこの発明の実施の形態１による、新旧いずれのモードでも動作可能な通信装置の構成を示すブロック図である。図において、１ａは上記新旧いずれのモードでも動作可能な通信装置であり、２ａはこの通信装置１ａへのデータの入出力を行うデータ入出力装置、３はこの通信装置１ａが接続されている通信回線である。
【００２４】
また、通信装置１ａ内において、１１ａはデータ入出力装置２ａより出力されたデータより、通信回線３に送信する送信データを生成する送信データ生成部である。１２ａは通信回線３より受信した相手通信装置からのデータを復号して、データ入出力装置２ａに入力する受信データ復号部である。１３ａは上記受信データ復号部１２ａ内のデータ誤り検出部からのデータ誤り検出信号、および新モード識別信号検出部からの新モード識別信号検出信号を判断して、送信データ生成部１１ａ内の送信データ切替部および受信データ復号部１２ａ内の受信データ切替部を制御するための新旧モード切替信号を生成する新旧動作モード切替制御部である。１４はこれら送信データ生成部１１ａおよび受信データ復号部１２ａと、通信回線３とのインタフェース制御を行う回線インタフェース部である。
【００２５】
上記送信データ生成部１１ａ内において、１１１はデータ入出力装置２ａから入力されるデータに対して、そのデータに誤りがあればその誤りを検出できるようにするためのデータ誤り検出信号を付加する誤り検出データ付加部である。１１２はこの誤り検出データ付加部１１１にてデータ誤り検出信号が付加されたデータに対して、旧モード対応のデータフォーマットへの変換処理を行う旧モードデータ生成部であり、１１３は誤り検出データ付加部１１１からの上記データに対して、新モード対応のデータフォーマットへの変換処理を行う新モードデータ生成部である。１１４は当該通信装置が新旧いずれのモードでも動作可能なものであることを示す新モード識別信号を生成する新モード識別信号生成部であり、１１５は新旧動作モード切替制御部１３ａからの新旧モード切替信号にしたがって切替えられ、旧モードデータ生成部１１２、新モードデータ生成部１１３、新モード識別信号生成部１１４のいずれかからの信号を通信回線３側へ送信するかを切替る送信データ切替部である。
【００２６】
受信データ復号部１２ａ内において、１２２は通信回線３側から受信したデータに対して、旧モード対応のデータフォーマットと認識して復号を行う旧モードデータ復号部であり、１２３は通信回線３側から受信したデータに対して、新モード対応のデータフォーマットと認識して復号を行う新モードデータ復号部である。１２４は通信回線３側から受信したデータに対して新モード識別信号かどうかの検出を行い、新モード識別信号検出信号を新旧動作モード切替制御部１３ａに送出する新モード識別信号検出部である。１２５は新旧動作モード切替制御部１３ａからの新旧モード切替信号にしたがって切替えられ、旧モードデータ復号部１２２のデータまたは新モードデータ復号部１２３のデータの一方を選択する受信データ切替部である。１２１はこの受信データ切替部１２５にて切替え・選択が行われた復号後のデータに対して、そのデータが誤りかどうかの検出を行い、データ誤り検出信号を新旧動作モード切替制御部１３ａに送出するデータ誤り検出部である。
【００２７】
このように、この実施の形態１による通信装置１ａは、図１１に示した従来の通信装置１ｄにおける、新モード切替信号生成部１１６を新モード識別信号生成部１１４で、新モード切替信号検出部１２６を新モード識別信号検出部１２４でそれぞれ代替したものである。
【００２８】
また、図１０は上記実施の形態１による通信装置１ａとの間で通信を行う、旧モードでのみ動作可能な通信装置の構成を示すブロック図である。図において、１ｂは上記旧モードでのみ動作可能な通信装置である。２ａはデータ入出力装置、３は通信回線、１４は回線インタフェース部であり、これらは図１に同一符号を付して示した部分と同等のものである。また、通信装置１ｂ内において、１１ｂは送信データ生成部、１２ｂは受信データ復号部であり、これらも、図１に示した送信データ生成部１１ａおよび受信データ復号部１２ａに相当する部分である。
【００２９】
上記送信データ生成部１１ｂ内において、１１１はデータ入出力装置２ａから入力されるデータに対して、そのデータに誤りがあれば検出できるようにするためのデータ誤り検出信号を付加する誤り検出データ付加部であり、１１２はこのデータ誤り検出信号が付加された誤り検出データ付加部１１１からのデータに対して、旧モード対応のデータフォーマットに変換を行う旧モードデータ生成部である。また、受信データ復号部１２ｂにおいて、１２２は通信回線３側から受信したデータに対して、旧モード対応のデータフォーマットと認識して復号を行う旧モードデータ復号部であり、１２１はこの旧モードデータ復号部１２２による復号後のデータが誤りかどうかの検出を行うデータ誤り検出部である。なお、これらの各部も、図１に同一符号を付して示した部分と同等のものである。
【００３０】
次に動作について説明する。
なお、この場合も、上記図１に示した新旧いずれのモードでも動作可能な通信装置１ａ、および図１０に示した旧モードのみで動作可能な通信装置１ｂを通信回線３で接続してネットワークを構成し、旧モードのみで動作可能な通信装置１ｂ間では旧モードで、旧モードのみで動作可能な通信装置１ｂと新旧いずれのモードでも動作可能な通信装置１ａとの間では旧モードで、新旧いずれのモードでも動作可能な通信装置１ａ間では新モードまたは旧モードで、それぞれデータの通信を行い、新旧のモードはそれら各通信装置間の通信によって決定されるものとする。
【００３１】
まず、上記図１に示した新旧いずれのモードでも動作可能な通信装置１ａの動作について説明する。
送信時において、データ入出力装置２ａより出力されたデータが当該通信装置１ａに入力される。通信装置１ａではこのデータ入出力装置２ａからのデータを送信データ生成部１１ａで受け取り、送信データ生成部１１ａはそのデータを誤り検出データ付加部１１１に入力してデータ誤り検出信号を付加する。このデータ誤り検出信号が付加されたデータは、旧モードデータ生成部１１２および新モードデータ生成部１１３に送られてそれぞれのデータフォーマットに変換処理された後、送信データ切替部１１５に入力される。送信データ切替部１１５は新旧動作モード切替制御部１３ａからの指示によって切替えられ、送信するデータフォーマットの選択を行う。選択された送信データは回線インタフェース部１４にてインタフェース制御が行われ、通信回線３より相手通信装置へ送信される。
【００３２】
また、新モード識別信号を送信する場合には、新旧動作モード切替制御部１３ａからの指示により、送信データ切替部１１５において新モード識別信号生成部１１４の生成する新モード識別信号が選択され、それが回線インタフェース部１４を介して通信回線３へ出力される。
【００３３】
一方、受信時においては、相手通信装置から伝送されたデータが通信回線３を介して当該通信装置１ａに入力される。通信装置１ａではこの相手通信装置からのデータを回線インタフェース部１４で受け取り、インタフェース制御を行って受信データ復号部１２ａに入力する。受信データ復号部１２ａにおいて、この入力されたデータが旧モードデータ復号部１２２、新モードデータ復号部１２３、および新モード識別信号検出部１２４のそれぞれに入力される。旧モードデータ復号部１２２では、そのデータを旧モードデータのフォーマットにしたがって変換処理した後、受信データ切替部１２５に入力する。新モードデータ復号部１２３でも同様に、そのデータを新モードデータのフォーマットにしたがって変換処理した後、受信データ切替部１２５に入力する。また、新モード識別信号検出部１２４では新モード識別信号の検出を行い、その検出結果を新モード識別信号検出信号として新旧動作モード切替制御部１３ａへ送信する。
【００３４】
旧モードデータ復号部１２２および新モードデータ復号部１２３から出力された復号後のデータは、新旧動作モード切替制御部１３ａからの指示にしたがって受信データ切替部１２５で選択され、データ誤り検出部１２１へ出力される。データ誤り検出部１２１ではデータ中の誤りの有無を判定し、その判定結果をデータ誤り検出信号として新旧動作モード切替制御部１３ａへ出力する。
【００３５】
次に、上記新旧動作モード切替制御部１３ａの動作について説明する。
ここで、図２は図１に示したこの実施の形態１による通信装置１ａの、回線誤りがない場合の新モード動作確定までのシーケンスを示す説明図である。図１に示した新旧いずれのモードでも動作可能な通信装置１ａによる送信側の通信装置は、旧モードで動作するとともに、新モード識別信号生成部１１４の生成した新モード識別信号、および旧モードデータ生成部１１２の生成した旧モードのデータを送信データ切替部１１５で選択して、回線インタフェース部１４より通信回線３を介して相手通信装置に送信する。
【００３６】
ここで、新モード識別信号を受信した相手通信装置も新旧いずれのモードでも動作可能なものであれば、図２に示すように、その応答として、新モード識別信号および新モードによるデータを送信側の通信装置に返送する。この新モード識別信号は新モード識別信号検出部１２４に、新モードのデータは新モードデータ復号部１２３にそれぞれ入力される。新旧動作モード切替制御部１３ａはこの新モード識別信号検出部１２４より送られてくる新モード識別信号検出信号を判断して、送信データ切替部１１５と受信データ切替部１２５を制御し、新モードデータ生成部１１３側および新モードデータ復号部１２３側を選択させる。これによりデータ通信は新モードに移行する。この時点で、両方の通信装置とも新モード動作が確定し、新モードによるデータ通信を行うことができる。
【００３７】
また、図３はこの実施の形態１の通信装置１ａにおける、回線誤りがない場合の旧モード動作確定までのシーケンスを示す説明図である。この図３には、図１に示した新旧いずれのモードでも動作可能な通信装置１ａが、図１０に示した旧モードのみで動作可能な通信装置１ｂを相手通信装置としてデータ通信を行う場合のシーケンスが示されている。この場合、新旧いずれのモードでも動作可能な通信装置１ａによる送信側の通信装置からは、新モード識別信号および旧モードによるデータが送信される。それらを受信した相手通信装置は、旧モードのみで動作可能な通信装置１ｂであるため、送られてきた新モード識別信号を検出することができない。したがって、旧モードによるデータのみを応答として返送する。これによりデータ通信は旧モードで行われ、両方の通信装置とも旧モードの動作が確定する。
【００３８】
また、図４もこの実施の形態１の通信装置１ａにおける、回線誤りがない場合の旧モード動作確定までのシーケンスを示す説明図であるが、この図４には、図１０に示した旧モードのみで動作可能な通信装置１ｂが、図１に示した新旧いずれのモードでも動作可能な通信装置１ａを相手通信装置としてデータ通信を行う場合のシーケンスが示されている。この場合、旧モードのみ動作可能な通信装置１ｂによる送信側の通信装置からは、旧モードのデータが送信される。相手通信装置は新旧いずれのモードでも動作可能な通信装置１ａであるため、新モード識別信号とともに旧モードのデータを送信側の通信装置に返送する。これにより、旧モードによるデータの送信が可能となる。
【００３９】
また、図５はこの実施の形態１の通信装置１ａにおける、回線誤りがある場合の新モード動作確定までのシーケンスを示す説明図である。この図５には、図１に示した新旧いずれのモードでも動作可能な通信装置１ａが相互にデータ通信を行う際に、通信回線３の伝送誤りによって新モード識別信号が相手通信装置へ伝送されなかった場合のシーケンスが示されている。新旧いずれのモードでも動作可能な通信装置１ａによる送信側の通信装置はまず、新モード識別信号および旧モードによるデータを相手通信装置に送信する。しかしながら、通信回線３に伝送誤りなどが発生してこの新モード識別信号が相手通信装置へ伝送されないため、相手通信装置である新旧いずれのモードでも動作可能な通信装置１ａは、新モード識別信号および旧モードによるデータを送信側の通信装置に返送する。この新モード識別信号および旧モードのデータを受信した送信側の通信装置は、新モード識別信号および新モードによるデータの送信を行う。このとき、通信回線３に伝送誤りがなく、新モード識別信号が相手通信装置に到達すれば、相手通信装置は新モードで動作確立と判定して、新モードによるデータ通信を行う。
【００４０】
これらいずれの場合も、動作モードが確定していることは、データ誤り検出部１２１からのデータ誤り検出信号が、通信回線３の回線品質に比べて大きいか小さいかで判断される。すなわち、通信回線３の品質に比べてデータ誤り検出信号が大きい場合には、動作モードが誤っている可能性があると判断し、再度新モード識別信号を送信することにより、モード確定のための動作を行う。
【００４１】
次に、図１０に示した、旧モードでのみ動作可能な通信装置１ｂの動作について説明する。
送信時において、データ入出力装置２ａより出力されたデータが当該通信装置１ｂに入力される。通信装置１ｂではこのデータ入出力装置２ａからのデータを送信データ生成部１１ｂで受け取り、送信データ生成部１１ｂはそのデータを誤り検出データ付加部１１１に入力してデータ誤り検出信号を付加する。この誤り検出データ付加部１１１にてデータ誤り検出信号が付加されたデータは、旧モードデータ生成部１１２に入力され、旧モードのデータフォーマットに変換処理された後、回線インタフェース部１４を介して通信回線３に送出され、相手通信装置へ伝送される。
【００４２】
一方、受信時においては、相手通信装置から伝送されたデータが通信回線３を介して当該通信装置１ｂに入力される。通信装置１ｂではこの相手通信装置からのデータを回線インタフェース部１４で受け取り、インタフェース制御を行って受信データ復号部１２ｂに入力する。受信データ復号部１２ｂではそれを旧モードデータ復号部１２２に送り、旧モードデータのフォーマットにしたがって復号処理した後、データ誤り検出部１２１に入力する。データ誤り検出部１２１では、この旧モードデータ復号部１２２から出力されたデータ中の誤りの有無を判定し、受信データをデータ入出力装置２ａに出力する。
【００４３】
このように、この実施の形態１によれば、当該通信装置が新旧いずれのモードでも動作可能な通信装置１ａであることを示す新モード識別信号を生成する新モード識別信号生成部１１４と、当該新モード識別信号を検出する新モード識別信号検出部１２４とを設け、通信開始時もしくは動作モードの相違認識時に、送信データが旧モードおよび新モードのいずれであった場合でも、上記新モード識別信号を送信することにより、旧モードでのみしか動作しない通信装置１ｂを全く変更することなく新モードを追加することが可能になるとともに、新旧いずれのモードでも動作可能な通信装置１ａ間は新モードを優先的に使用してデータ通信を行うことが可能になり、また、誤り検出データ付加部１１１およびデータ誤り検出部１２１を当該通信装置１ａ内に配置しているので、データ誤り検出部１２１と新旧動作モード切替制御部１３ａとのインタフェース制御が必要なく、外部とのインタフェースを少なくできるなどの効果が得られる。
【００４４】
実施の形態２．
上記実施の形態１では、送信されるデータにデータの誤りを検出するためのデータ誤り検出信号を付加する誤り検出データ付加部１１１、および復号後のデータが誤りかどうかの検出を行うデータ誤り検出部１２１を、通信装置１ａに持たせたものについて説明したが、それらを、データ入出力装置２ａなど、通信装置１ａの外部に持たせるようにしてもよい。図６はそのようなこの発明の実施の形態２による、新旧いずれのモードでも動作可能な通信装置の構成を示すブロック図である。なお、実施の形態１と同一の部分には図１と同一符号を付してその説明を省略する。
【００４５】
図において、２１は通信装置１ａに入力されるデータに対して、そのデータに誤りがあれば検出できるようにするためのデータ誤り検出信号を付加する誤り検出データ付加部であり、実施の形態１において通信装置１ａの送信データ生成部１１ａ内に設けられていたデータ誤り検出信号生成部１１１に相当するものである。２２は受信データ切替部１２５にて切替え・選択が行われた復号後のデータに対して、そのデータが誤りかどうかの検出を行い、その検出結果に基づくデータ誤り検出信号を生成するデータ誤り検出部であり、実施の形態１において通信装置１ａの受信データ復号部１２ａ内に設けられていたデータ誤り検出部１２１に相当するものである。２ｂはこれら誤り検出データ付加部２１およびデータ誤り検出部２２を備えている点で、図１に符号２ａを付したものとは異なるデータ入出力装置である。
【００４６】
また、通信装置１ａ内において、１１ｃはデータ誤り検出データ付加部１１１を備えていない点で、図１に符号１１ａを付して示したものとは異なる送信データ生成部であり、１２ｃはデータ誤り検出部１２１を備えていない点で、図１に符号１２ａを付して示したものとは異なる受信データ復号部である。１３ｂは送信データ生成部１１ｃ内の送信データ切替部１１５、および受信データ復号部１２ｃ内の受信データ切替部１２５の切替制御を、受信データ復号部１２ｃ内の新モード識別信号検出部１２４からの新モード識別検出信号とともに、上記データ入出力装置２ｂ内のデータ誤り検出部２２からのデータ誤り検出信号を判断することによって行っている点で、図１に符号１３ａを付して示したものとは異なる新旧動作モード切替制御部である。
【００４７】
次に動作について説明する。
この実施の形態２の通信装置１ａにおいては、データ入出力装置２ｂより、その誤り検出データ付加部２１でデータ誤り検出信号が付加されたデータが送信データ生成部１１ｃに送られて、その旧モードデータ生成部１１２および新モードデータ生成部１１３に入力される。以下、実施の形態１の場合と同様に、それらから出力されるデータ、あるいは新モード識別信号生成部１１４の生成した新モード識別信号が送信データ切替部１１５で切替え・選択されて、回線インタフェース部１４を介して通信回線３に送出される。
【００４８】
一方、実施の形態１の場合と同様にして、旧モードデータ復号部１２２あるいは新モードデータ復号部１２３で復号されたデータは、受信データ切替部１２５で切替え・選択されてデータ入出力装置２ｂに送られ、そのデータ誤り検出部２２に入力される。データ誤り検出部２２では、そのデータが誤りであるかどうかを検出し、その検出結果に基づくデータ誤り検出信号を通信装置１ａの新旧動作モード切替制御部１３ｂに入力する。新旧動作モード切替制御部１３ｂは、このデータ入出力装置２ｂのデータ誤り検出部２２からのデータ誤り検出信号と、受信データ復号部１２ｃの新モード識別信号検出部１２４からの新モード識別信号検出信号とを判断して、送信データ生成部１１ｃの送信データ切替部１１５、および受信データ復号部１２ｃの受信データ切替部１２５の制御を行う。
【００４９】
なお、この実施の形態２では、誤り検出データ付加部２１およびデータ誤り検出部２２をデータ入出力装置内部２ｂ内に移動させているので、データ誤り検出部２２と新旧動作モード切替制御部１３ｂとのインタフェースが必要となる。
【００５０】
このように、この実施の形態２によれば、データ入出力装置内部２ｂ側でデータ誤り検出信号の付加、およびデータ誤りの検出を行うシステムにおいても、旧モードでのみしか動作しない通信装置１ｂを全く変更することなしに新モードを追加することができ、さらに新旧いずれのモードでも動作可能な通信装置１ａ間は新モードを優先的に使用してデータ通信を行うことが可能になるという効果が得られる。
【００５１】
実施の形態３．
上記各実施の形態では、データ誤りの検出を、通信装置１ａ内のデータ誤り検出部１２１、もしくはデータ入出力装置２ｂ内のデータ誤り検出部２２で行うものを示したが、データの内容が音声や画像のように、人間がその誤りを判断できる種類のものである場合には、オペレータがデータ誤りを検出し、その検出結果に基づくデータ誤り検出信号を、通信装置１ａの新旧動作モード切替制御部１３ｂに入力するようにしてもよい。図７はそのようなこの発明の実施の形態３による、新旧いずれのモードでも動作可能な通信装置１ａの構成を示すブロック図である。なお、実施の形態２と同一の部分には図６と同一符号を付してその説明を省略する。図において、４はオペレータがデータ誤りの検出結果に基づくデータ誤り検出信号を新旧動作モード切替制御部１３ｂに入力するための誤り検出信号入力スイッチである。２ａは誤り検出データ付加部２１およびデータ誤り検出部２２を備えていない、実施の形態１におけるそれと同様のデータ入出力装置である。
【００５２】
次に動作について説明する。
この実施の形態３の通信装置１ａにおいては、データ入出力装置２ａより送られてきた音声や画像等のデータはそのまま、送信データ生成部１１ｃの旧モードデータ生成部１１２および新モードデータ生成部１１３に入力される。以下、実施の形態１の場合と同様に、送信データ切替部１１５において、それらから出力されるデータ、あるいは新モード識別信号生成部１１４の生成した新モード識別信号が切替え・選択されて、回線インタフェース部１４を介して通信回線３に送出される。
【００５３】
また、実施の形態１の場合と同様にして、旧モードデータ復号部１２２あるいは新モードデータ復号部１２３で復号されたデータは、受信データ切替部１２５で切替え・選択されてデータ入出力装置２ａに送られる。オペレータはこのデータ入出力装置２ａに入力された音声や画像等のデータに対してデータ誤り検出を行い、その検出結果に応じてデータ誤り検出信号入力スイッチ４を操作して、データ誤り検出信号を通信装置１ａの新旧動作モード切替制御部１３ｂに入力する。新旧動作モード切替制御部１３ｂは、このデータ誤り検出信号入力スイッチ４からのデータ誤り検出信号と、受信データ復号部１２ｃ内の新モード識別信号検出部１２４からの新モード識別信号検出信号にしたがって、送信データ生成部１１ｃの送信データ切替部１１５、および受信データ復号部１２ｃの受信データ切替部１２５の切替制御を行う。
【００５４】
このように、この実施の形態３によれば、データ誤りの検出をオペレータが行い、その検出結果に基づくデータ誤り検出信号をデータ誤り検出信号入力スイッチ４から新旧動作モード切替制御部１３ｂに入力しているので、データの内容が音声や画像などの人間が誤りを検出できる種類のものである場合には、データ誤り検出およびデータ誤り検出信号の入力を人間が行うことが可能になるという効果が得られる。
【００５５】
実施の形態４．
上記各実施の形態においては、新旧動作モード切替制御部１３ａ，１３ｂからの新旧モード切替信号を、送信データ切替部１１５および受信データ切替部１２５に入力するものについて説明したが、旧モードデータ生成部１１２、新モードデータ生成部１１３、旧モードデータ復号部１２２、新モードデータ復号部１２３に入力するようにしてもよい。図８はそのようなこの発明の実施の形態４による、新旧いずれのモードでも動作可能な通信装置の構成を示すブロック図であり、各部には図１と同一符号を付してその説明を省略する。図示のように、この実施の形態４による通信装置１ａの新旧動作モード切替制御部１３ａから出力される新旧モード切替信号が、送信データ切替部１１５、受信データ切替部１２５とともに、送信データ生成部１１ａの旧モードデータ生成部１１２と新モードデータ生成部１１３、および受信データ復号部１２ａの旧モードデータ復号部１２２と新モードデータ復号部１２３にも入力されている。
【００５６】
次に動作について説明する。
ここで、基本的な動作は図１に示した実施の形態１の場合と同様である。新旧動作モード切替制御部１３ａは受信データ復号部１２ａ内のデータ誤り検出部１２１からのデータ誤り検出信号、および新モード識別信号検出部１２４からの新モード識別信号検出信号に基づいて新旧モード切替信号を生成し、それを送信データ生成部１１ａの送信データ切替部１１５、旧モードデータ生成部１１２および新モードデータ生成部１１３と、受信データ復号部１２ａの受信データ切替部１２５、旧モードデータ復号部１２２および新モードデータ復号部１２３に入力する。
【００５７】
新旧動作モード切替制御部１３ａからの新旧モード切替信号を旧モードデータ生成部１１２と新モードデータ生成部１１３に入力することにより、旧モード動作時には旧モードデータ生成部１１２のみが、新モード動作時には新モードデータ生成部１１３のみが動作する。それらの出力と新モード識別信号生成部１１４からの新モード識別信号は、新旧動作モード切替制御部１３ａからの新旧モード切替信号にて制御される送信データ切替部１１５によって切替え・選択され、回線インタフェース部１４より通信回線３に送出される。
【００５８】
また、新旧動作モード切替制御部１３ａからの新旧モード切替信号を旧モードデータ復号部１２２と新モードデータ復号部１２３に入力することにより、旧モード動作時には旧モードデータ復号部１２２のみが、新モード動作時には新モードデータ復号部１２３のみが動作する。これらの出力は、新旧動作モード切替制御部１３ａからの新旧モード切替信号にて制御される受信データ切替部１２５によって切替え・選択され、データ誤り検出部１２１に出力される。なお、この場合には、受信データ切替部１２５は割愛することも可能である。
【００５９】
このように、この実施の形態４によれば、新旧動作モード切替制御部１３ａからの新旧モード切替信号を、旧モードデータ生成部１１２、新モードデータ生成部１１３、および旧モードデータ復号部１２２、新モードデータ復号部１２３にも入力しているので、旧モード動作時には旧モードデータ生成部１１２と旧モードデータ生成部１１３のみを動作させ、新モード動作時には新モードデータ生成部１２２と新モードデータ生成部１２３のみを動作させることが可能になるという効果が得られる。
【００６０】
実施の形態５．
データ入出力装置からのデータの種別としては、音声・画像・文字等あらゆるデータの種別が考えられる。データ入出力装置からのデータの種別が音声の場合には、旧モード、新モードに対応する動作として、旧モードによる音声符号化方式および新モードによる音声符号化方式とすることも可能である。
【００６１】
実施の形態６．
データ入出力装置からのデータの種別が画像の場合には、旧モード、新モードに対応する動作として、旧モードによる画像符号化方式および新モードによる画像符号化方式とすることも可能である
【００６２】
実施の形態７．
データ入出力装置からのデータの種別に関係なく、旧モード、新モードに対応する動作として、旧モードによる暗号化方式および新モードによる暗号化方式とすることも可能である
【００６３】
実施の形態８．
データ入出力装置からのデータの種別に関係なく、旧モード、新モードに対応する動作として、旧モードによる誤り訂正方式および新モードによる誤り訂正方式とすることも可能である。
【００６４】
実施の形態９．
上記実施の形態１から実施の形態４においては、１つのデータ誤り検出信号生成部とデータ誤り検出部を、旧モードと新モードとで共用するものについて説明したが、各動作モード毎にそれぞれデータ誤り検出信号生成部とデータ誤り検出部を設けるようにしてもよい。図９はそのようなこの発明の実施の形態９による、新旧いずれのモードでも動作可能な通信装置の構成を示すブロック図であり、相当部分には図１と同一符号を付してその説明を省略する。
【００６５】
図において、１１１ａはデータ入出力装置２ａからのデータに、旧モードに対するデータ誤り検出信号を付加して旧モードデータ生成部１１２に送る誤り検出データ付加部であり、１１１ｂはデータ入出力装置２ａからのデータに、新モードに対するデータ誤り検出信号を付加して新モードデータ生成部１１３に送る誤り検出データ付加部である。また、１２１ａは旧モードデータ復号部１２２で復号されたデータの旧モードに対するデータ誤り検出を行って、データ誤り検出信号を新旧動作モード切替制御部１３ａに送るデータ誤り検出部であり、１２１ｂは新モードデータ復号部１２３で復号されたデータの新モードに対するデータ誤り検出を行って、データ誤り検出信号を新旧動作モード切替制御部１３ａに送るデータ誤り検出部である。
【００６６】
次に動作について説明する。
ここで、データ入出力装置２ａからのデータはそのデータ種別によって、音声信号のように通信データ中の誤りがある程度許容されるものと、圧縮処理された画像データのように通信データ中に誤りが許容されないものとが存在する。したがって、例えば、データ入出力装置２ａからのデータの種別が、音声データであれば旧モードに対応させ、圧縮処理された画像データであれば新モードに対応させる。
【００６７】
このような対応付けを行った場合、データ入出力装置２ａから入力された音声データは、誤り検出データ付加部１１１ａにて旧モードに対するデータ誤り検出データの付加が行われ、旧モードデータ生成部１１２に送られる。また、旧モードデータ復号部１２２で復号された相手通信装置からの音声データは、データ誤り検出部１２１ａにて旧モードに対するデータ誤りの検出が行われ、データ誤り検出信号が新旧動作モード切替制御部１３ａに送られる。同様にして、データ入出力装置２ａから入力された圧縮処理された画像データは、誤り検出データ付加部１１１ｂにて新モードに対するデータ誤り検出データの付加が行われ、新モードデータ生成部１１３に送られる。また、新モードデータ復号部１２３で復号された相手通信装置からの圧縮された画像データは、データ誤り検出部１２１ｂにて新モードに対するデータ誤りの検出が行われ、データ誤り検出信号が新旧動作モード切替制御部１３ａに送られる。なお、その他の基本的な動作は実施の形態１の場合と同様である。
【００６８】
このように、この実施の形態９によれば、新旧の動作モードのそれぞれに誤り検出データ付加部１１１ａ，１１１ｂとデータ誤り検出部１２１ａ，１２１ｂを設けているので、データ入力装置２ａからのデータを、そのデータ種別に基づいて新旧の動作モードに対応させることができ、データ種別に応じたデータ誤り検出信号の付加を行うことが可能となるため、データ通信効率を高めることができるという効果が得られる。
【００６９】
【発明の効果】
以上のように、この発明によれば、新モード識別信号生成部より、当該通信装置が新旧のいずれのモードでも動作可能なものであることを示す新モード識別信号を生成し、新モード識別信号検出部により、通信回線側からのデータがその新モード識別信号かどうかを検出するように構成したので、通信開始時およびモードの相違認識時に、送信データが旧モードおよび新モードのいずれの場合においても、上記新モード識別信号を送信することによって、旧モードのみでしか動作しない通信装置を全く変更することなく新モードを追加することが可能となるだけでなく、新旧いずれのモードでも動作可能な通信装置との間では新モードを優先的に使用してデータ通信を行うことが可能な通信装置が得られる効果がある。
【００７０】
この発明によれば、当該通信装置内に配置された誤り検出データ付加部にて、データ入出力装置からのデータにデータ誤り検出用のデータを付加し、当該通信装置内に配置されたデータ誤り検出部にて、復号後のデータのデータ誤り検出信号を新旧動作モード切替制御部に入力するように構成したので、これら誤り検出データ付加部およびデータ誤り検出部を通信装置外に配置した場合に比べて、外部とのインタフェースを少なくできるという効果がある。
【００７１】
この発明に係る通信装置は、データ誤り検出信号を、当該通信装置外部のデータ誤り検出部より新旧動作モード切替制御部に入力するように構成したので、データ入出力装置などの当該通信装置の外部で、データ誤り検出信号の付加およびデータ誤りの検出を行うシステムにおいても、旧モードでのみしか動作しない通信装置を全く変更することなしに新モードを追加でき、さらに新旧いずれのモードでも動作可能な通信装置間のデータ通信は新モードを優先的に使用して行うことができるという効果がある。
【００７２】
この発明によれば、データ誤り検出信号を誤り検出信号入力スイッチより新旧動作モード切替制御部に入力するように構成したので、データの内容が音声や画像などの人間が誤りを検出できる種類のものである場合には、オペレータがデータ誤りの検出およびデータ誤り検出信号の入力を行うことが可能になるという効果がある。
【００７３】
この発明によれば、新旧動作モード切替制御部の生成する新旧モード切替信号を、旧モードデータ生成部、新モードデータ生成部、旧モードデータ復号部、新モードデータ復号部に入力するように構成したので、旧モード動作時には旧モードデータ生成部と旧モードデータ復号部のみを動作させ、新モード動作時には新モードデータ生成部と新モードデータ復号部のみを動作させることが可能になるという効果がある。
【図面の簡単な説明】
【図１】この発明の実施の形態１による通信装置の構成を示すブロック図である。
【図２】上記実施の形態１における、回線誤りなし時の新モード動作確定までのシーケンスを示す説明図である。
【図３】上記実施の形態１における、回線誤りなし時の旧モード動作確定までのシーケンスの一例を示す説明図である。
【図４】上記実施の形態１における、回線誤りなし時の旧モード動作確定までのシーケンスの他の例を示す説明図である。
【図５】上記実施の形態１における、回線誤りあり時の新モード動作確定までのシーケンスを示す説明図である。
【図６】この発明の実施の形態２による通信装置の構成を示すブロック図である。
【図７】この発明の実施の形態３による通信装置の構成を示すブロック図である。
【図８】この発明の実施の形態４による通信装置の構成を示すブロック図である。
【図９】この発明の実施の形態９による通信装置の構成を示すブロック図である。
【図１０】旧モードのみで動作可能な通信装置の構成を示すブロック図である。
【図１１】従来の通信装置の構成を示すブロック図である。
【図１２】従来の通信装置における新モード動作確定までのシーケンスを示す説明図である。
【図１３】従来の通信装置における旧モード動作確定までのシーケンスを示す説明図である。
【図１４】従来の通信装置にて相手通信装置へ新モード切替信号が伝わらなかった場合の動作シーケンスを示す説明図である。
【図１５】従来の通信装置にて相手通信装置へ新モードによるデータが伝わらなかった場合の動作シーケンスを示す説明図である。
【符号の説明】
１ａ  通信装置、２ａ，２ｂ  データ入出力装置、３  通信回線、４  誤り検出信号入力スイッチ、１３ａ，１３ｂ  新旧動作モード切替制御部、１４  回線インタフェース部、２２，１２１  データ誤り検出部、１１１  誤り検出データ付加部、１１２  旧モードデータ生成部、１１３  新モードデータ生成部、１１４  新モード識別信号生成部、１１５  送信データ切替部、１２２  旧モードデータ復号部、１２３  新モードデータ復号部、１２４  新モード識別信号検出部、１２５  受信データ切替部。
【図１】
0003578928.tif 000002
【図２】
0003578928.tif 000003
【図３】
0003578928.tif 000004
【図４】
0003578928.tif 000005
【図５】
0003578928.tif 000006
【図６】
0003578928.tif 000007
【図７】
0003578928.tif 000008
【図８】
0003578928.tif 000009
【図９】
0003578928.tif 000010
【図１０】
0003578928.tif 000011
【図１１】
0003578928.tif 000012
【図１２】
0003578928.tif 000013
【図１３】
0003578928.tif 000014
【図１４】
0003578928.tif 000015
【図１５】
0003578928.tif 000016